(57)【要約】      （修正有）【課題】構造が簡素で、薄型化が容易である上、低床設計にすることができる電動ベッド背部調整構造を提供する。【解決手段】電動ベッド背部調整構造は、ベッドフレーム１を含む。ベッドフレームには、背部ボトム２が枢着される。背部ボトムとベッドフレームとの間にはリフトオフ機構３が配設される。リフトオフ機構は、伸縮動力源３１を含む。伸縮動力源の一端は、ベッドフレームに枢着される。伸縮動力源の出力軸３１１の端部は、回転軸３２の接続部３２１に枢着される。回転軸の両端は、ベッドフレームに接続される。回転軸は、支持杆３２２に接続される。支持杆には、ローラ３２３が配設される。背部ボトムには、支持杆のローラが対応して当接するガイドレール２１が形成されている。【選択図】図４
0003195499.tif 000002
【実用新案登録請求の範囲】
【請求項１】
ベッドフレームを含む電動ベッド背部調整構造であって、
前記ベッドフレームには、背部ボトムが枢着され、前記背部ボトムと前記ベッドフレームとの間にはリフトオフ機構が配設され、前記リフトオフ機構は、伸縮動力源を含み、前記伸縮動力源の一端は、前記ベッドフレームに枢着され、前記伸縮動力源の出力軸の端部は、回転軸の接続部に枢着され、前記回転軸の両端は、前記ベッドフレームに接続され、前記回転軸は支持杆に接続され、前記支持杆には、ローラが配設され、前記背部ボトムには、前記支持杆の前記ローラが対応して当接されるガイドレールが形成されていることを特徴とする、
電動ベッド背部調整構造。
【請求項２】
前記背部ボトムの前記ガイドレールの側辺には、前記ガイドレールに対して垂直に形成された側板が接続され、前記側板の一端には、切欠きが形成されていることを特徴とする請求項１に記載の電動ベッド背部調整構造。
【請求項３】
前記背部ボトムの前記ガイドレールの側辺には、前記ガイドレールに対して垂直に形成された側板が接続され、前記側板には、前記ガイドレールに対して平行に設けられた位置規制板が接続されていることを特徴とする請求項１に記載の電動ベッド背部調整構造。
【考案の詳細な説明】
【技術分野】
【０００１】
本考案は、電動ベッド背部調整構造に関し、特に、構造が簡素で、薄型化が容易である上、低床設計にすることができる電動ベッド背部調整構造に関する。
【背景技術】
【０００２】
老人、身体が不自由な者、重病人などの患者には、多くのリハビリ、医療介護が必要であるが、老人、身体が不自由な者、重病人などの患者は、長期間ベッドに横たわっており、座位の姿勢にしたり体の向きを変えたりすることは容易でなく、食事をさせたり薬を飲ませることを容易に行うことができるように、被介護者の上半身をベッド上に起こして座位の姿勢をとらせる必要があった。
従来の医療用ベッドは、患者に臥位又は座位の姿勢をとらせることが容易な介護用ベッドであった。しかし、従来の介護用ベッドは複雑な構造を有する物がほとんどであり、製造コストが多くかかるとともにその組立には多くの時間と手間がかかった。また組立部材が多い場合、部材が摩損したり、外れたりして損壊してしまう危険性が高く、利用者はメンテナンスに多くの費用をかけなければならず、経済的負担が大きかった。
【考案の概要】
【考案が解決しようとする課題】
【０００３】
本考案の目的は、構造が簡素で、薄型化が容易である上、低床設計にすることができる電動ベッド背部調整構造を提供することにある。
【課題を解決するための手段】
【０００４】
上記課題を解決するために、本考案の第１の形態によれば、ベッドフレームを含む電動ベッド背部調整構造であって、前記ベッドフレームには、背部ボトムが枢着され、前記背部ボトムと前記ベッドフレームとの間にはリフトオフ機構が配設され、前記リフトオフ機構は、伸縮動力源を含み、前記伸縮動力源の一端は、前記ベッドフレームに枢着され、前記伸縮動力源の出力軸の端部は、回転軸の接続部に枢着され、前記回転軸の両端は、前記ベッドフレームに接続され、前記回転軸は支持杆に接続され、前記支持杆には、ローラが配設され、前記背部ボトムには、前記支持杆の前記ローラが対応して当接されるガイドレールが形成されていることを特徴とする電動ベッド背部調整構造が提供される。
【０００５】
前記背部ボトムの前記ガイドレールの側辺には、前記ガイドレールに対して垂直に形成された側板が接続され、前記側板の一端には、切欠きが形成されていることが好ましい。
【０００６】
前記背部ボトムの前記ガイドレールの側辺には、前記ガイドレールに対して垂直に形成された側板が接続され、前記側板には、前記ガイドレールに対して平行に設けられた位置規制板が接続されていることが好ましい。
【考案の効果】
【０００７】
本考案の電動ベッド背部調整構造は、ベッドフレームを含み、このベッドフレームの底部にはキャスタが直接取り付けられているが、脚柱が設けられていないため、ベッドフレームから床までの距離がキャスタの高さに略等しい低床設計となり、この低床設計により、体が弱い老人、身体が不自由な者、重病人などの患者が不注意によりベッドフレームから床へ落下して大怪我してしまうことを効果的に防ぎ、ベッド上に横たわる患者の安全を確保することができる。
【図面の簡単な説明】
【０００８】
【図１】本考案の一実施形態に係る電動ベッド背部調整構造を示す斜視図である。
【図２】本考案の一実施形態に係る電動ベッド背部調整構造を示す断面図である。
【図３】本考案の一実施形態に係る電動ベッド背部調整構造を示す部分断面図である。
【図４】本考案の一実施形態に係る電動ベッド背部調整構造の使用状態の説明図である。
【図５】本考案の一実施形態に係る電動ベッド背部調整構造の使用状態の部分拡大図である。
【図６】本考案の一実施形態に係る電動ベッド背部調整構造の使用状態の拡大断面図である。
【考案を実施するための形態】
【０００９】
以下、本考案の実施形態について図に基づいて説明する。なお、これによって本考案が限定されるものではない。
【００１０】
まず、図１〜図３を参照する。図１〜図３に示すように、本考案の一実施形態に係る電動ベッド背部調整構造は、ベッドフレーム１を含む。ベッドフレーム１の底部には、キャスタ１１が直接取り付けられているが、脚柱が設けられていないため、ベッドフレーム１から床までの距離がキャスタ１１の高さに略等しい低床設計となっている。
ベッドフレーム１には、着脱自在な背部ボトム２が枢着され、背部ボトム２とベッドフレーム１との間には、リフトオフ機構３が配設されている。リフトオフ機構３は、伸縮動力源３１を含む。伸縮動力源３１は、油圧シリンダ、気圧シリンダ又は電動シリンダでもよい。伸縮動力源３１の一端はベッドフレーム１に枢着され、伸縮動力源３１の出力軸３１１の端部は、回転軸３２の接続部３２１に枢着されている。回転軸３２の両端は、ベッドフレーム１に接続され、回転軸３２は２つの支持杆３２２に接続されている。２つの支持杆３２２には、ローラ３２３が設けられ、背部ボトム２には、２つの支持杆３２２のローラ３２３が対応して当接されるガイドレール２１が設けられている。
図６を併せて参照する。図６に示すように、ガイドレール２１の側辺には、ガイドレール２１に対して垂直に形成された側板２２が接続されている。側板２２の適宜な箇所には、ガイドレール２１に対して平行に設けられた位置規制板２３が接続され、側板２２の位置規制板２３下方の一端には切欠き２２１が形成されている上、ベッドフレーム１上には、背部ボトム２が接触される緩衝クッション４が配設されている。
【００１１】
老人、身体が不自由な者、重病人などの患者に食事をさせたり薬を飲ませたりする際、それらの行為が容易に行えるように患者を座位の姿勢にさせることが望ましい。図４〜図６を併せて参照する。
図４〜図６に示すように、看護師が伸縮動力源３１を作動させると、伸縮動力源３１の出力軸３１１が前方に押し出され、枢着された回転軸３２が順方向で一定角度回転し、接続された２つの支持杆３２２が順方向へ揺動する。２つの支持杆３２２に設けられたローラ３２３は、背部ボトム２のガイドレール２１に沿って上から下方向にかけて摺動し、２つの支持杆３２２が背部ボトム２を支えて所望のリクライニング角度になるまで背部ボトム２を起こす。背部ボトム２が約７０度まで起こされると、ガイドレール２１に形成された位置規制板２３に至るまでローラ３２３が前進され、ローラ３２３がガイドレール２１の位置規制板２３により位置規制され、背部ボトム２が伸縮動力源３１により押し上げられることが止まると、背部ボトム２の角度が最も快適で安全な約７０度に保持される。
【００１２】
背部ボトム２がリクライニング角度で起こされると、背部ボトム２に背部が接している病人もそれに伴って起こされ、患者が座位の姿勢となるため、患者に対して食べ物を食べさせたり薬を飲ませたりする介護を看護師は容易に行うことができる。
患者に食べ物を食べさせたり薬を飲ませたりした後、看護師が伸縮動力源３１をオンして復位させると、伸縮動力源３１の出力軸３１１が収納され、それに接続された回転軸３２が所定角度で反転されるとともに、回転軸３２に設けられた２つの支持杆３２２が反対方向へ揺動し、ローラ３２３が背部ボトム２のガイドレール２１に沿って下から上方向へかけて摺動し、２つの支持杆３２２が背部ボトム２を支えながら復位させる。背部ボトム２が約３０度になるまで下がると、ガイドレール２１の側辺に接続された側板２２の一端に切欠き２２１が形成されているため、ローラ３２３は側板２２により拘束されなくなって背部ボトム２が自ら下がり、これにより背部ボトム２下に異物があっても身体を挟んで怪我をしてしまう虞はない。
【００１３】
背部ボトム２が復位されると、ベッドフレーム１に取り付けられた緩衝クッション４に背部ボトム２が接触され、背部ボトム２が上から下方向へかけて下降する際に発生する振動と、ベッドフレーム１に直接衝突した際に発生する騒音とを緩衝クッション４により低減させることができる。そのため、体が弱くて精神状態が理想的でない患者に対して、毎日頻繁に行われる介護活動（例えば、食事をさせたり薬を飲ませたりする介護）は、背部ボトムの昇降をスムーズかつ無振動、無騒音で行うことができるため、生理的・心理的負担が小さく、患者に快適性及び安心感を与え、病状の回復が進む。
【００１４】
本考案の電動ベッド背部調整構造は、ベッドフレーム１が地面より僅かに高い低床設計となっている。この低床設計に基づき、ベッドフレーム１上に横たわっている老人、身体が不自由な者又は重病人が姿勢を変える際、ベッドフレーム１から地面に不用意に転落してしまっても大きな怪我をすることを防ぐことができる。このように安全性が高い低床設計により、本考案のリフトオフ機構３は、構造を簡素にして薄型化することが容易である。即ち、伸縮動力源３１、回転軸３２、支持杆３２２及びローラ３２３により構成された簡素な構造にすることにより、リフトオフ機構３が薄型化され、低床設計にすることができる。
【００１５】
本考案の電動ベッド背部調整構造は、勿論上述した実施形態又は図面のみに限定されるわけではなく、背部ボトム２に取り付けられた緩衝クッション４にベッドフレーム１が接触されるため、背部ボトム２が下降する際にベッドフレーム１との間に発生する振動及び騒音を減らすことができる。
【００１６】
上述したことから分るように、本考案の電動ベッド背部調整構造は、以下（１）〜（３）の長所を有する。
（１）本考案の電動ベッド背部調整構造は、ベッドフレームを含み、ベッドフレームの底部には、キャスタが直接取り付けられているが、脚柱が設けられていないため、ベッドフレームから床までの距離がキャスタの高さに略等しい低床設計にされており、これにより身体が弱い老人、身体が不自由な者、重病人などの患者が不注意によりベッドフレームから床へ落下して大怪我してしまうことを効果的に防ぎ、ベッド上に横たわる患者の安全を確保することができる。
（２）本考案の電動ベッド背部調整構造は、ガイドレールの側辺に接続された側板の一端に切欠きが形成されており、背部ボトムが下降し、ガイドレールの位置規制板の切欠きに至るまでローラが前進されると、背部ボトムが自ら下降し、背部ボトム下に異物があっても身体を挟んで怪我をさせてしまう虞がない。
（３）本考案の電動ベッド背部調整構造は、ガイドレールの側辺に側板が接続され、側板の適宜な箇所に、ガイドレールに対して平行に設けられた位置規制板が接続され、この位置規制板の設計により、背部ボトムが最高角度まで持ち上げられると、ガイドレールの位置規制板のローラに至るまで前進し、この位置規制板により拘束され、伸縮動力源により持ち上げられるため、背部ボトムを安全かつ快適なリクライニング角度に維持することができる。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１      ベッドフレーム
２      背部ボトム
３      リフトオフ機構
４      緩衝クッション
１１    キャスタ
２１    ガイドレール
２２    側板
２３    位置規制板
３１    伸縮動力源
３２    回転軸
２２１  切欠き
３１１  出力軸
３２１  接続部
３２２  支持杆
３２３  ローラ
【図１】
0003195499.tif 000003
【図２】
0003195499.tif 000004
【図３】
0003195499.tif 000005
【図４】
0003195499.tif 000006
【図５】
0003195499.tif 000007
【図６】
0003195499.tif 000008